(57)【要約】【課題】少なくとも逃げ遅れた人が区画外に逃げるまでの間、泡に含まれる有毒ガス等の量を低減することのできるインサイドエア方式の高膨張泡消火設備を提供する。【解決手段】消火対象区画４内の空気Ａを、泡発生器１の筐体２に設けられた吸気口５より取り込み、泡水溶液を該泡発生器１の発泡網３によって、発泡させて泡を放出する高膨張泡消火設備において、該吸気口５は、該消火対象区画４の床面４ａ側に設けられる。【選択図】図１
2012095829.tif 000002
【特許請求の範囲】
【請求項１】
消火対象区画内の空気を、泡発生器の筐体に設けられた吸気口より取り込み、泡水溶液を該泡発生器の発泡網によって、発泡させて泡を放出する高膨張泡消火設備において、
該吸気口は、該消火対象区画の床面側に設けられていることを特徴とする高膨張泡消火設備。
【請求項２】
前記消火対象区画には、該消火対象区画内の空気は透過できるが、前記泡は透過することのできない中空の網柱が設けられ、
前記泡発生器は、該網柱に貫設されており、
前記発泡網は該網柱の外部に、前記吸気口は該網柱の内部に設けられることを特徴とする請求項１に記載の高膨張泡消火設備。
【請求項３】
前記吸引口が前記床面から２ｍ以下の高さに設けられていること特徴とする請求項１又は２に記載の高膨張泡消火設備。
【請求項４】
前記網柱が、前記消火対象区画の床面から天井近傍まで設けられていることを特徴とする請求項２又は３に記載の高膨張泡消火設備。
【請求項５】
前記網柱は、常時は、前記消火対象区画の天井に固定されており、火災時に、前記床面まで降下することを特徴とする請求項２、３又は４に記載の高膨張泡消火設備。
【発明の詳細な説明】
【技術分野】
【０００１】
本発明は、工場、各種危険物施設、倉庫、駐車場、石油タンクのピット、石油コンビナートのカルバート、或いは、船室、船倉等に用いられる、高膨張泡消火設備に関する。
【背景技術】
【０００２】
従来、室内に高膨張泡消火設備の泡発生器を設置して、屋外の外気を使用せずに、室内の空気を利用して、火災時に泡を放出するインサイドエア方式の高膨張泡消火設備がある（例えば、特許文献１、参照）。
【先行技術文献】
【特許文献】
【０００３】
【特許文献１】特開平６−１６５８３７号公報
【発明の概要】
【発明が解決しようとする課題】
【０００４】
通常、ある区画内で火災が発生した際、火災により発生した一酸化炭素等の有毒ガスや煙等は、該区画の空気と共に火炎等により熱せられるため、その熱対流によって該区画の天井近傍に溜まっていくこととなる。従来、前記高膨張泡消火設備は該天井近傍に設置されるため、インサイドエア方式の高膨張泡消火設備では、該有毒ガスや煙等を含む該天井近傍の空気を大量に吸引し泡を発泡させることとなり、結果として、該泡には該有毒ガスや煙等が含まれることになる。
【０００５】
仮に、火災が発生した区画内に逃げ遅れた人がいる場合、前記高膨張泡消火設備が作動すると、前記泡と共に有毒ガスや煙等も前記天井近傍から床面へと移動することとなる。従って、人が逃げ遅れるような事態が生じないように、作動を遅延させる等の処置を講じるため、消火動作が遅れるという課題が生じる。
【０００６】
そこで、本発明では、少なくとも逃げ遅れた人が前記区画外に逃げるまでの間、前記泡に含まれる有毒ガス等の量を低減することのできるインサイドエア方式の高膨張泡消火設備を提供することを目的とする。
【課題を解決するための手段】
【０００７】
本発明は、消火対象区画内の空気を、泡発生器の筐体に設けられた吸気口より取り込み、泡水溶液を該泡発生器の発泡網によって、発泡させて泡を放出する泡発泡器を有する高膨張泡消火設備において、該吸気口は、該消火対象区画の床面側に設けられていることを特徴とする高膨張泡消火設備である。
【０００８】
又、本発明は、前記消火対象区画には、該消火対象区画内の空気は透過できるが、前記泡は透過することのできない中空の網柱が設けられ、前記泡発生器は、該網柱に貫設されており、前記発泡網は該網柱の外部に、前記吸気口は該網柱の内部に設けられることを特徴とする高膨張泡消火設備である。
【０００９】
又、本発明は、前記吸引口が前記床面から２ｍ以下の高さに設けられていること特徴とする高膨張泡消火設備である。
【００１０】
又、本発明は、前記網柱が、前記消火対象区画の床面から天井近傍まで設けられていることを特徴とする高膨張泡消火設備である。
【００１１】
又、本発明は、前記網柱が、常時は、前記消火対象区画の天井に固定されており、火災時に、前記床面まで降下することを特徴とする高膨張泡消火設備である。
【発明の効果】
【００１２】
本発明は、消火対象区画内の空気を取り込むために高膨張泡消火設備の泡発生器に設けられた吸気口が、消火対象区画の床面側に設けられることによって、少なくとも該区画内の逃げ遅れた人が該区画外に脱出するまでの間、有毒ガス等を殆ど含まない該泡が放出されるため、人の退避を待つことなく、すぐに泡を放出できる。
【００１３】
又、前記消火対象区画に設けられた網柱に前記泡発生器を貫設させることにより、前記吸気口を前記床面側に設けても泡によって該吸気口が塞がれることなく、滞りのない泡の放出をすることができる。
【図面の簡単な説明】
【００１４】
【図１】本発明における第１実施形態の高膨張泡消火設備を示す図である。
【図２】本発明における第１実施形態の消火工程を示す図である。
【図３】本発明における第２実施形態の高膨張泡消火設備を示す図である。
【発明を実施するための形態】
【００１５】
本発明の第１実施形態を図１及び２を用いて説明する。本実施形態の高膨張泡消火設備は、泡発生器１、消火水タンク７、泡消火薬剤タンク８、火災感知器１１、制御装置１２を含む。
【００１６】
泡発生器１は、泡水溶液を発泡させ泡Ｂを生成するために設けられ、筐体２及び筐体２の先端に設けられ泡Ｂを生成するための発泡網３を有する。
【００１７】
筐体２は、その外部より、前記泡水溶液を筐体２内に供給するためのノズル（図示せず）が設けられ、前記泡水溶液を発泡網３に向って放出することで、泡発生器１から泡Ｂを放出する。又、筐体２は、屋内等の火災を消火する対象となる区画（以下、消火対象区画４と謂う）内の空気Ａを吸引するための吸引口５を有する。尚、本発明において、消火対象区画４の床面４ａから天井４ｂまでの高さの１／２の高さＣから上側を天井４ｂ側、下側を床面４ａ側と定義する。
【００１８】
前記ノズルは混合器６を介して、消火水タンク７及び泡消火薬剤タンク８に接続させている。又、混合器６と消火水タンク７は、その間に設けられたポンプ９を介して接続される。
【００１９】
又、消火対象区画４には、泡Ｂは透過しないが空気Ａは透過する程度のメッシュが開けられた網柱１０が設けられている。
【００２０】
網柱１０は、本実施の形態では、消火対象区画４を区画する壁４ｃの近傍に、床面４ａから天井４ｂ近傍に掛けて立設されている。尚、網柱１０は、消火対象区画４の床面４ａから天井４ｂまで必ずしも立設されている必要はないが、網柱１０が略完全に泡Ｂに覆われてしまうと吸気口５は空気Ａを吸気することができなくなるため、少なくとも消火に必要な泡Ｂの高さ以上の高さを確保する必要がある。
【００２１】
具体的には、、消火対象区画４内に設置された工作機械等の消火対象物が埋まる以上の高さを確保する必要がある。
【００２２】
尚、網柱１０は、常時も立設されている必要はなく、例えば、蛇腹構造等を設け、常時は邪魔にならないように床面４ａ側に縮めておき、火災時に必要とする高さまで伸ばせるようにしてもよく、又、常時は、天井４ｂに半田等で固定しておき、火災時には、例えば、火炎Ｆにより発生する熱で半田を熔融させて、床面４ａまで降下するようにしてもよい。
【００２３】
そして、泡発生器１は、少なくとも、発泡網３が網柱１０の外側に且つ吸引口５が網柱１０の内側となるように消火対象区画４内に設けられる。つまり、泡発生器１は網柱１０に貫設されている。
【００２４】
吸引口５は、消火対象区画４の床面４ａ側にくるように設けられる。尚、好ましくは、吸引口５は、床面４ａから２ｍ（人間の身長程度の高さ）以下の高さに設けられる。本実施形態では筐体２は側面視Ｌ字形状をしており、吸引口５は床面４ａと対向するように且つ床面４ａの近傍に設けられている。
【００２５】
又、本実施形態では、発泡網３も消火対象区画４の床面４ａ側に設けているが、吸引口５の位置が床面４ａの近傍にあればよく、発泡網３の位置は適宜変更することが可能である。
【００２６】
本実施の形態の消火工程について以下に説明する。
【００２７】
（１）火災が発生し、可燃物が燃焼すると、一酸化炭素等の有毒ガスＰや煙Ｓが発生する。有毒ガスＰや煙Ｓは火炎Ｆの熱による熱対流により天井４ｂ付近に溜まっていく。その結果、消火対象区画４の床面４ａ付近の空気Ａは、有毒ガスＰや煙Ｓの少ない空気Ａ１となる。
【００２８】
（２）火災感知器１１が前記火災を検出すると、火災信号を制御装置１２に送信する。火災信号を受信した制御装置１２は、ポンプ９を作動させ、消火水タンク７内の水を混合器６に流すことによって、混合器６で消火水タンク７の消火水と泡消火薬剤タンク８の泡消火薬剤とが混合され、泡水溶液が生成される。生成された泡水溶液は配管を介して、泡発生器１の筐体２内に設けた前記ノズルより発泡網３に向って放水される。
【００２９】
（３）泡発生器１は網柱１０内に位置する吸気口５より消火対象区４内の空気Ａを、網柱１０を介して吸引しながら、発泡網３により前記泡水溶液を発泡させ、消火対象区画４に泡Ｂを供給する。そして泡Ｂが消火対象区画４内に堆積していく。
【００３０】
（４）ある一定の高さ、例えば、消火対象物が埋まる程度の高さ、まで泡Ｂが堆積すると火災源への酸素の供給が遮断され、火災は窒息消火される。
【００３１】
（３）の工程の際、泡発生器１は、先ず始めに、吸気口５から、網柱１０を介して有毒ガスＰや煙Ｓの少ない床面４ａ近傍の空気Ａ１を吸引する。つまり、吸気口５から最も近く、吸引しやすい所から、空気Ａを取り込むことにより、有毒ガスＰや煙Ｓが殆ど含まれていない泡Ｂ１を消火対象区画４内に供給する（図２（Ａ）を参照）。
【００３２】
そして、泡Ｂの堆積によって、網柱１０が泡Ｂで覆われていくと、吸気口５から最も近く、吸引しやすい所は、堆積した泡Ｂの上面ｂ１付近の空気Ａ２となる。そのため、泡発生器１は、吸引口５から、堆積した泡Ｂの上面ｂ１付近の空気Ａ２を、網柱１０を介して吸引し、泡Ｂ２を供給する（図２（Ｂ）を参照）。又、その際に、泡発生器１は、その吸気口５が網柱１０の内側にあるため、泡Ｂによって吸気口５が塞がれることがなく、発泡網３から滞りなく泡Ｂを供給することができる。
【００３３】
そして、泡Ｂの高さが有毒ガスＰや煙Ｓが溜まっている天井４ｂ付近に到達すると、吸気口５から最も近く吸引しやすい所は、天井４ｂ付近の空気Ａ３となる。そのため泡発生器１は、網柱１０を介して、空気Ａ３と共に有毒ガスＰや煙Ｓを、吸気口５より吸引し、泡Ｂを消火対象区画４に供給する（図２（Ｃ）を参照）。
【００３４】
従って、最終的には、発泡網３からは、有毒ガスＰや煙Ｓを含んだ泡Ｂ３が放出されることとなる。しかしながら、本実施形態の高膨張泡消火設備は、従来の高膨張泡消火設備と比較して、有毒ガスＰや煙Ｓを含んだ泡Ｂ３が泡発生器１から放出されるまでに時間的な余裕があるため、人の退避を待つことなく、すぐに泡Ｂを放出できる。
【００３５】
又、消火に必要な泡Ｂの高さが低い、例えば、仮想線Ｃの近傍、である場合、有毒ガスＰや煙Ｓを含んだ泡Ｂ３を放出することなく消火を完了させることが可能である。
【００３６】
本発明の第２実施形態を図３により説明する。第１実施形態との相違は、消火対象区画４に網柱１０を設けずに、消火対象区画４の床面４ａ側に床側泡発生器１３を、天井４ｂ付近に天井側泡発生器１４を設けることである。第１実施形態と同じ符号の箇所は第１の実施形態と同様である。
【００３７】
本実施形態では床側及び天井側泡発生器１３，１４の筐体１５，１６が側面視略方形状に形成されている。
【００３８】
又、本実施形態は、上記（３）の工程において、床側泡発生器１３を先ず作動させ、消火対象区画４の床面４ａ側の有毒ガスＰや煙Ｓが殆ど含まれていない空気Ａ４をその吸気口１７から吸引する。そして、発泡網１５により泡水溶液を発泡させ、泡Ｂ４を放出することで、消火対象領域４にいる逃げ遅れた人の脱出時間を確保する。更に、該人の脱出後に天井側泡発生器１４を作動させることによって、最終的に消火対象区画４の消火を完了させるものである。
【００３９】
そのため、床側泡発生器１３は、床面４ａ側で且つ前記人の脱出の間、その吸気口１７が泡Ｂにより覆われないように設置する必要がある。好ましくは、床側泡発生器１３は、床面４ａから少なくとも人間の身長程度（約２ｍ位）の高さに設置される。
【００４０】
又、天井側泡発生器１４の作動開始のタイミングを判断するために、泡Ｂの高さを検出するセンサ１８を設けることもできる。そして、本実施形態では、泡水溶液の流路を切り換えるための切換弁１９を設けることによって床側及び天井側泡発生器１３，１４の上記作動を制御している。
【００４１】
尚、床側泡発生器１３を第１実施形態の泡発生器１とすることもできる。この場合は、網柱１０の高さは、床面４ａから少なくとも約２ｍ以上の高さまで設けられていることが好ましい。
【００４２】
以上のように、本発明の高膨張泡消火設備では、泡発生器１，１３の吸気口５，１７を消火対象区画４の床面４ａ側となるように設けることにより、少なくとも消火対象区画４内にいる逃げ遅れた人が脱出するまでの間、有毒ガスＰや煙Ｓを殆ど含まない泡Ｂ１，Ｂ４を放出することができるため、人の退避を待つことなく、すぐに泡Ｂを放出できる。
【００４３】
尚、第１及び第２の実施形態において、泡発生器１，１３，１４の各々複数設けることができ、その数は適宜選択することができる。又、様々な既知の泡発生器を第１及び第２の実施形態に適用することも可能である。
【符号の説明】
【００４４】
１    泡発生器                        ２    筐体        
３    発泡網                          ４    消化対象区画    
４ａ  床面                            ４ｂ  天井    
４ｃ  壁                              ５    吸引口    
６    混合器                          ７    消火水タンク    
８    泡消火薬剤タンク                ９    ポンプ    
１０  網柱                            １１  火災感知器    
１２  制御装置                        １３  床側泡発生器    
１４  天井側泡発生器                  １５  筐体    
１６  筐体                            １７  吸引口    
１８  センサ                          １９  切換弁
Ａ    空気                            Ｂ    泡    
Ｆ    火炎                            Ｐ    有毒ガス
Ｓ    煙
【図１】
2012095829.tif 000003
【図２】
2012095829.tif 000004
【図３】
2012095829.tif 000005